(57)【要約】      （修正有）【課題】医療レポートが作成された当時のテンプレートがすでに存在・記憶されていない場合でも表示することができる医療情報装置を提供する。【解決手段】医療情報システム１において、ユーザーが医療レポートを編集すると、編集クライアント２０２は、医療情報装置１００からテンプレートを検出し、画像サーバー２０６から医療画像を検出して、医療レポートを編集し、医療情報装置１００へ送信する。医療情報装置１００は、各項目の情報内容３５０を受信すると、受信した情報をを記憶し、これらにより医療情報を構成する。表示クライアント装置２１０が、医療情報装置１００に医療レポートを表示させるように要求すると、医療情報装置１００は、医療情報とともにテンプレート又は参照情報を表示クライアント装置２１０に送信する。表示クライアント装置２１０は、受信したテンプレート又は参照情報に応じて医療情報を表示装置２１１に表示する。【選択図】図１
2020109623.tif 000002
【特許請求の範囲】
【請求項１】
医療レポートの少なくとも一つの項目の情報内容が医療画像である情報内容と、
医療コードシステム数値と、前記情報内容に対応し、医療コードシステム数値によって識別される医療コードシステムにおいて定義される医療コード数値と、を含む参照情報と、
によって構成される項目を複数含む医療レポートを記憶する記憶部と、
前記医療コード数値に基づいて前記情報内容が表示クライアント装置に表示されるかを判断し、
前記情報内容が表示されると判断した場合に、前記情報内容と前記参照情報とを前記表示クライアント装置へ送信する、プロセッサーと、
を備える医療情報装置。
【請求項２】
前記複数の項目は前記医療レポートにおいて表示される順番に記憶され、前記情報内容は前記参照情報の後に前記各項目に記憶される、請求項１に記載の医療情報装置。
【請求項３】
前記医療レポートはさらに前記医療レポートの前記各項目の前記情報内容を表示するレイアウトを有するテンプレートを識別するテンプレート識別子を含み、
前記プロセッサーは、
前記表示クライアント装置より前記医療レポートを要求された場合、前記テンプレート識別子によって識別される前記テンプレートが存在するか判断し、
前記テンプレートが存在すると判断した場合に、前記参照情報の代わりに前記テンプレートを送信する、請求項１に記載の医療情報装置。
【請求項４】
前記情報内容が前記医療画像である場合、前記情報内容は医療画像サーバーに保存される前記医療画像のリンクとして記憶される、請求項１に記載の医療情報装置。
【請求項５】
前記プロセッサーは、
特定の種類の前記医療撮影装置と、
前記医療撮影装置によって前記医療画像において撮影される人体の特定の領域と、
を記憶する、請求項４に記載の医療情報装置。
【請求項６】
前記参照情報は、
前記情報内容とともに表示されるキャプションと、
前記情報内容の情報種類と、
をさらに含む、請求項１に記載の医療情報装置。
【請求項７】
前記プロセッサーは前記表示クライアント装置に前記医療レポートを送信し、
前記医療レポートを受信した場合、前記表示クライアント装置は前記参照情報に基づいて、前記医療レポートの前記各項目の前記情報内容を表示する表示領域の大きさを調整する、請求項１に記載の医療情報装置。
【請求項８】
前記参照情報はテキスト形式の少なくとも一単語によって構成される情報をさらに備える、請求項１に記載の医療情報装置。
【請求項９】
医療レポートの情報内容を送信する編集クライアント装置と、
前記編集クライアント装置から前記情報内容を受信し、前記情報内容及び前記情報内容に対応する参照情報を送信する、請求項１に記載の医療情報装置と、
前記情報内容及び前記参照情報を受信し、前記参照情報に応じて前記医療レポートを表示する表示クライアント装置と、
を備える医療情報システム。
【請求項１０】
前記表示クライアント装置が前記情報内容及び前記参照情報を受信した場合、前記表示クライアント装置が前記参照情報に基づいて前記情報内容を表示する前記表示領域の大きさを調整する、請求項９に記載の医療情報システム。
【請求項１１】
前記表示クライアント装置が前記情報内容及び前記参照情報を受信した場合、前記表示クライアント装置が前記参照情報に基づいて、前記情報内容を表示するかを判断する、請求項９に記載の医療情報システム。
【請求項１２】
医療レポートの少なくとも一つの項目の情報内容が医療画像である情報内容と、
医療コードシステム数値と、前記情報内容に対応し、医療コードシステム数値によって識別される医療コードシステムにおいて定義される医療コード数値と、を含む参照情報と、
によって構成される項目を複数含む医療レポートを記憶し、
前記医療コード数値に基づいて前記情報内容が表示されるかを判断し、
前記情報内容が表示されるとプロセッサーが判断した場合に、前記情報内容と前記参照情報とを表示させるために表示装置へ送信する、
ことを備える医療情報処理の方法。
【発明の詳細な説明】
【技術分野】
【０００１】
該当なし。
【背景技術】
【０００２】
医療画像及びその他の医療データを含む電子医療記録は患者の診断において重要な役割を担う。医療施設（例えば病院等）では、医療記録を電子的に記憶することの利点が理解されるようになった。医療画像及びその他のデータを電子化することによって、ユーザーが容易に医療画像や医療データにアクセスできるようになるだけでなく、これらの画像及びデータが複数の医療施設において容易に共用できるようになる。
【０００３】
医療業界において、医療画像及びレポートの利便性の高い記憶及びアクセスを実現するため、ＰＡＣＳ（ＰｉｃｔｕｒｅＡｒｃｈｉｖｉｎｇａｎｄＣｏｍｍｕｎｉｃａｔｉｏｎｓＳｙｓｔｅｍ、医療用画像システム）として知られるシステムを用いることが人気となりつつある。一般に、ＰＡＣＳは協働して動作する複数の装置によって構成され、ＣＴ、ＭＲＩ、ＰＥＴ、超音波、Ｘ線などの様々な撮影モダリティーによって生成される医療画像を電子的に、撮影、記憶、管理、配布及び表示する。ＰＡＣＳを用いることによって、内外で撮影又は作成されたあらゆる種類の画像及びリポートを様々な医療施設にわたって共用することができる。
【０００４】
通常、医療画像の診断を含むこれらの医療レポートは複数のテンプレートから選択されたテンプレートを用いて作成される。レポート作成者はテンプレートの空欄を埋めることによって医療レポートを作成する。多くの場合、各医療施設はそれぞれの医療レポートを作成するための独自のテンプレートを有する。しかし、これらのテンプレートは医療レポートが作成された後に改定されたり、記録から削除されたりすることがある。また、これらのレポートがテンプレートを備える装置からテンプレートを備えない医療情報装置へ移動又はコピーされることがある。このような場合、医療情報装置がテンプレートを備えないため、医療レポートが記憶されている医療情報装置において医療レポートを表示したり活用したりできなくなる。
【発明の概要】
【発明が解決しようとする課題】
【０００５】
本発明の一以上の実施形態によれば、医療レポートが作成された当時のテンプレートがすでに存在しなかったり記憶されていなかったりする場合でも表示することができる医療レポートを作成する、医療情報装置、医療情報システム及び医療情報処理方法が提供される。
【課題を解決するための手段】
【０００６】
一以上の実施形態によれば、医療情報装置は、医療レポートの少なくとも一つの項目の情報内容が医療画像である情報内容と、医療コードシステム数値と、前記情報内容に対応し、医療コードシステム数値によって識別される医療コードシステムにおいて定義される医療コード数値と、を含む参照情報と、によって構成される項目を複数含む医療レポートを記憶する記憶部と、前記医療コード数値に基づいて前記情報内容が表示クライアント装置に表示されるかを判断し、前記情報内容が表示されると判断した場合に、前記情報内容と前記参照情報とを前記表示クライアント装置へ送信する、プロセッサーと、を備える。
【０００７】
前記複数の項目は前記医療レポートにおいて表示される順番に記憶され、前記情報内容は前記参照情報の後に前記各項目に記憶されうる。
【０００８】
前記医療レポートはさらに前記医療レポートの前記各項目の前記情報内容を表示するレイアウトを有するテンプレートを識別するテンプレート識別子を含みうる、前記プロセッサーは、前記表示クライアント装置より前記医療レポートを要求された場合、前記テンプレート識別子によって識別される前記テンプレートが存在するか判断しうる、前記テンプレートが存在すると判断した場合に、前記参照情報の代わりに前記テンプレートを送信する。
【０００９】
前記情報内容が前記医療画像である場合、前記情報内容は医療画像サーバーに保存される前記医療画像のリンクとして記憶されうる。
【００１０】
前記プロセッサーは、特定の種類の前記医療撮影装置と、前記医療撮影装置によって前記医療画像において撮影される人体の特定の領域と、を記憶しうる。
【００１１】
前記参照情報は、前記情報内容とともに表示されるキャプションと、前記情報内容の情報種類と、をさらに含みうる。
【００１２】
前記プロセッサーは前記表示クライアント装置に前記医療レポートを送信し、前記医療レポートを受信した場合、前記表示クライアント装置は前記参照情報に基づいて、前記医療レポートの前記各項目の前記情報内容を表示する表示領域の大きさを調整しうる。
【００１３】
前記参照情報はテキスト形式の少なくとも一単語によって構成される情報をさらに備えうる。
【００１４】
一以上の実施形態によれば、医療情報システムは、医療レポートの情報内容を送信する編集クライアント装置と、前記編集クライアント装置から前記情報内容を受信し、前記情報内容及び前記情報内容に対応する参照情報を送信する、請求項１に記載の医療情報装置と、前記情報内容及び前記参照情報を受信し、前記参照情報に応じて前記医療レポートを表示する表示クライアント装置と、を備える。
【００１５】
前記表示クライアント装置が前記情報内容及び前記参照情報を受信した場合、前記表示クライアント装置が前記参照情報に基づいて前記情報内容を表示する前記表示領域の大きさを調整しうる。
【００１６】
前記表示クライアント装置が前記情報内容及び前記参照情報を受信した場合、前記表示クライアント装置が前記参照情報に基づいて、前記情報内容を表示するかを判断しうる。
【００１７】
一以上の実施形態によれば、医療情報処理の方法は、医療レポートの少なくとも一つの項目の情報内容が医療画像である情報内容と、医療コードシステム数値と、前記情報内容に対応し、医療コードシステム数値によって識別される医療コードシステムにおいて定義される医療コード数値と、を含む参照情報と、によって構成される項目を複数含む医療レポートを記憶し、前記医療コード数値に基づいて前記情報内容が表示されるかを判断し、前記情報内容が表示されるとプロセッサーが判断した場合に、前記情報内容と前記参照情報とを表示させるために表示装置へ送信する、ことを備える。
【図面の簡単な説明】
【００１８】
【図１】図１は一以上の実施形態における医療情報システムを示す。
【図２】図２は一以上の実施形態における医療情報装置のハードウェアを示す。
【図３】図３は一以上の実施形態における医療情報装置の記憶部の記憶領域を示す。
【図４】図４は記憶部のレポート領域の例示的な構成を示す。
【図５】図５はレポートの内容の例示的な構成を示す。
【図６】図６は医療レポートの項目の例示的な構成を示す。
【図７】図７は医療レポートのサンプルコードを示す。
【図８】図８は一以上の実施形態における医療情報システムのシーケンスを示す。
【図９】図９は医療情報装置で実行される送信処理のフローチャートを示す。
【図１０】図１０は表示装置に表示される医療レポートの画面例を示す。
【図１１】図１１は一以上の実施形態において、ネットワークを用いずに医療情報装置を使用する別の例を示す。
【発明を実施するための形態】
【００１９】
図面を参照しながら本発明における実施形態について詳細に説明する。一貫性を保つため、図面における同じ要素には同じ符号が付される。
【００２０】
以下に説明する本発明の実施形態においては、本発明の理解を深めるためにいくつかの詳細な説明がなされる。しかし、これらの具体的で詳細な説明がなくとも本発明を実施することが可能であることは同業者にとって明らかである。また、説明が不必要に複雑になることを避けるため、公知の特徴については説明がなされていない。
【００２１】
［医療情報システム］
図１は一以上の実施形態における医療情報システム１を示す。図１に示すように、医療情報システム１は医療情報装置１００及び表示クライアント装置２１０を備える。医療情報システム１はさらに、編集クライアント装置２０２、画像サーバー２０６、及び医療撮影装置２０４を備えうる。
編集クライアント装置２０２はユーザーが医療レポート３１０を編集する際に操作する。医療レポート３１０を編集する際に、編集クライアント装置は医療レポート３１０の情報内容３５０を医療情報装置１００へ送信する。医療情報装置１００は医療内容３５０を編集クライアント装置２０２から受信し、情報内容３５０及び当該情報内容３５０に対応する参照情報３４０を表示クライアント装置２１０へ送信する。表示クライアント装置２１０は情報内容３５０及び参照情報３４０を受信し、参照情報３４０に基づいて医療情報３１０を表示装置２１１上で表示する。表示装置２１１としてＬＣＤ（液晶表示）ディスプレイ、ＯＬＥＤ（有機発光ダイオード）ディスプレイ、ＣＲＴ（ブラウン管）ディスプレイ、又は投影型のディスプレイを用いうる。
【００２２】
医療撮影装置２０４はＣＴ、ＭＲＩ、ＰＥＴ、超音波、Ｘ線等による画像を撮影することができる機器を含みうる。医療撮影装置２０４は撮影された画像を画像サーバー２０６へ送信し、撮影された画像を記憶する。画像サーバー２０６に記憶される医療画像は固有識別コード３５０Ｂによって識別される。固有識別コード３５０Ｂを用いることによって表示クライアント装置２１０上の医療レポートの一部として画像サーバー２０６に記憶される医療画像を参照又は検索することができる。
【００２３】
［医療情報装置］
図２は一以上の実施形態における医療情報装置１００のハードウェアを示す。図２に示すように、医療情報装置１００は、記憶部３００、ＣＰＵ（中央処理装置）１２１、揮発性メモリー１２２、不揮発性メモリー１２４、通信インターフェース１２３を備える情報処理装置である。記憶部３００は、例えばハードディスクやフラッシュメモリーなどの不揮発性メモリーであり、医療レポート３１０を記憶する。揮発性メモリー１２２として例えばＲＡＭ（ランダムアクセスメモリー）やキャッシュメモリー等があげられる。不揮発性メモリー１２４として例えばＲＯＭ（リードオンリーメモリー）、フラッシュメモリー又はハードディスク等があげられる。通信インターフェース１２３は例えば編集クライアント装置２０２や表示クライアント装置２１０等の他の装置との通信を行うためにネットワークに接続する。後述の説明において、ＣＰＵ１２１、揮発性メモリー１２２、不揮発性メモリー及び通信インターフェース１２３はまとめてプロセッサー１２０と称する。しかし、プロセッサー１２０はＣＰＵ１２１のみを含む場合やＣＰＵ１２１並びに揮発性メモリー１２２、不揮発性メモリー及び通信インターフェース１２３のうちの一つ以上を含む場合がある。プロセッサー１２０は医療レポート３１０を記憶部３００に記憶したり、医療レポート３１０を送信して表示クライアント装置２１０の表示装置２１１に表示したりする。
【００２４】
図３は一以上の実施形態による医療情報装置１００の記憶部３００における記憶領域を示す。記憶部３００はレポート領域３０２及びテンプレート領域３０１を有する。レポート領域３０２は複数の医療レポート３１０を記憶しうる。テンプレート領域３０１は複数のテンプレート３０５を記憶しうる。各テンプレート３０５は医療レポート３１０の各項目３３０（後述）の情報内容３５０を表示するレイアウトを有する。医療情報３１０を表示する要求がなされる際にテンプレート領域３０１又はテンプレート３０５が記憶部３００に存在しない場合があるので、図３ではこれらを点線で示す。このような状況は医療レポート３１０が編集された後に記憶部３００においてテンプレート３０５が改定又は削除された場合やレポート３１０が他の装置からテンプレート領域３０１を有しない医療情報装置１００へ移動又はコピーされた場合に起こりうる。
【００２５】
図４は記憶部３００におけるレポート領域３０２の例示的な構成を示す。各医療情報３１０はレポートＩＤ（識別子）３１１によって識別される。各医療レポート３１０はさらにテンプレート３０５を識別するテンプレートＩＤ３１２及びレポート内容３２０を含みうる。
【００２６】
図５はレポート内容３２０の例示的な構成を示す。レポート内容３２０によって特定の医療撮影装置種類３２１を識別し、医療撮影装置２０４によって医療画像３５０Ａとして撮影される、人体における特定の人体部分領域３２２を識別しうる。医療撮影装置種類３２１と特定の人体部分領域３２２とはプロセッサー１２０によって記憶される。レポート内容３２０はさらに複数の項目３３０を含む項目領域３２３を有し、それぞれが表示装置２１１に表示される情報内容３５０を有する。レポート内容３２０に記憶される複数の項目３３０は医療レポート３１０で表示される順番に配置される。
【００２７】
図６は医療レポート３１０における項目３３０の例示的な構成を示す。項目３３０は参照情報３４０及び情報内容３５０を含む。参照情報３４０は情報内容３５０の情報種類３４４を含む。情報種類３４４は表示される情報内容３５０がどのように表示されるかと関連しうる。つまり、情報種類３４４はテキスト形式の一以上の単語として記憶され、例えば「数字」、「画像」、「テキスト」、「ラジオボタン」、又は「コンボボックス」等があげられる。参照情報３４０はさらにキャプション３４５、医療コードシステム数値３４１、医療コード数値３４２、及び医療コード説明３４３を有しうる。キャプション３４５はテキスト形式の一以上の単語として記憶され、医療レポート３１０が表示される際に情報内容３５０とともに表示される。医療コード数値３４２は情報内容３５０と対応し、医療コードシステム数値３４１によって識別される医療コードシステムによって定義される。医療コードシステムは公的に一般的に定義されるシステムか、ユーザーや医療施設において私的に定義されるシステムである。医療コード説明３４３は医療コード数値３４２が何を示すかを説明するテキストデータとすることができ、情報内容３５０とともに表示することができる。情報項目３５０はそれぞれの項目３３０に参照情報３４０を記憶する領域の後の領域に記憶しうる。
【００２８】
医療レポート３１０の少なくとも一つの項目３３０における情報内容３５０は医療画像３５０Ａである（図１０に示す）。このような場合、情報内容３５０は固有識別コード３５０Ｂを用いることによって画像サーバー２０６に記憶される医療画像３５０Ａのリンクとして記憶される。
【００２９】
図７は医療レポート３１０のサンプルコードを示す。サンプルコードはＪＳＯＮ（ＪａｖａＳｃｒｉｐｔ（登録商標）ＯｂｊｅｃｔＮｏｔａｔｉｏｎ）を用いて記述されるが、記憶部３００に記憶する際の形式は問わない。サンプルコードによれば、テンプレートＩＤ３１２によって、医療レポート３１０が編集された当時に採用されたテンプレートを識別する。特定の医療撮影装置種類３２１は医療レポート３１０が「ＣＲ」（コンピューテッドラジオグラフィー）によって撮影された医療画像に基づくことを示す。特定の人体部分領域３２２は医療画像が「胸部」の画像であることを示す。特定の領域は人体のいずれかの領域であり、例えば頭部、腕、手、腹部、脚、足、等が挙げられる。項目３３０の参照情報３４０において、情報内容３５０の情報種類３４４は「数字」であることを示す。医療コードシステムの医療コード数値３４２は、医療コード説明３４３に示すように「長さ」であることを示す。情報内容３５０において「数字」の値が「１２」であることを示す。キャプション３４５によれば、医療レポート３１０が表示される際に、「１２」の前に「長さ」が表示され、「１２」の後に「ｃｍ」が表示される。項目３３０のうちの一つの情報内容として医療画像３５０Ａが含まれる。医療画像３５０Ａは固有識別コード３５０Ｂによって識別される。
【００３０】
テンプレートＩＤ３１２は情報内容３５０とともに記憶されるので、医療情報装置１００はテンプレートＩＤ３１２を参照すればどのテンプレートが医療レポート３１０を表示するのに適切かを認識することができる。特定の医療撮影装置種類３２１と特定の人体部分領域３２２とが情報内容３８０とともに記憶されるので、医療情報装置１００は表示クライアント装置２１０に記憶されているすべての関連するデータをまとめて表示させることができるので、ユーザーは当該レポートがどのような画像で、人体のどの部分に基づくものであるかを認識することができる。情報内容３５０の情報種類３４４が情報内容３５０とともに記憶されるので、医療情報装置１００は表示クライアント装置２１０に情報種類３４４に応じた、テキストボックス、画像ボックス等の適切な表示形式を用いて情報内容３５０を表示させる。情報内容３５０とともに医療コードシステムの医療コード数値３４２が記憶されるので、医療情報装置１００は表示クライアント装置２１０に医療コード数値３４２に応じた、画像のサイズや解像度、画像を切り替えるための追加のボタン等、適切な表示形式を用いて情報内容３５０を表示し、医療情報装置１００は医療コード数値３４２に基づいて情報内容２５０を表示するか否かを判断することができる。キャプション３４５は情報内容３５０とともに記憶されるので、キャプション３４５は情報内容３５０とともに表示することができる。医療画像３５０Ａは医療レポート３１０の公的にアクセス可能なサーバーのリンクによって記憶することができるので、表示クライアント装置２１０は表示クライアント装置がどこに位置しても医療画像３５０Ａを表示することができる。キャプション３４５又は情報種類３４４等のように参照情報に記憶される情報の一部はテキスト形式の少なくとも一単語として記憶することができる。よって、表示を見た者はディスプレイの画面だけでなく、情報レポート３１０のソースコードからも情報レポート３１０の内容を理解することができる。
【００３１】
［医療情報システムの動作］
図８は一以上の実施形態における医療情報システム１のシーケンスを示す。図８に示すように、まず、ユーザーは医療レポート３１０を編集クライアント装置２０２で編集します（ステップＳ１１）。ユーザーが医療レポート３１０を編集すると、編集クライアント装置は医療情報装置１００からテンプレート３０５を検出し（ステップＳ１２）、画像サーバー２０６から医療画像３５０Ａを検出して（ステップＳ１３）、医療レポート３１０を編集する。医療レポート３１０を編集した後、各項目３３０の情報内容３５０は医療情報装置１００へ送信される（ステップＳ１４）。医療情報装置１００は各項目３３０の情報内容３５０を受信すると、医療情報装置１００のプロセッサー１２０は情報内容３５０及び参照情報３４０を記憶し、これらにより医療情報３１０が構成される（ステップＳ１５）。
【００３２】
ユーザーの操作に基づいて表示クライアント装置２１０が医療情報装置１００に医療レポート３１０を表示させるように要求すると（ステップＳ２１）、医療情報装置は後述の送信処理Ｓ３０を実行する。送信処理Ｓ３０が実行される間、情報内容３５０はテンプレート３０５又は参照情報３４０とともに表示クライアント装置２１０に送信される。表示クライアント装置２１０はテンプレート３０５又は各項目の参照情報３４０に応じて各項目の情報内容３５０を表示装置２１１上に表示する（ステップＳ２３）。つまり、表示クライアント装置２１０は医療レポート３１０を表示装置２１１上に表示する。表示クライアント装置２１０が医療レポート３１０を表示すると、表示クライアント装置は画像サーバー２０６から医療画像３５０Ａを検出する。このシーケンスにおいて、表示クライアント装置２１０は編集クライアント装置２０２とは別の装置として示される。しかし、表示クライアント装置２１０は編集クライアント装置２０２と同じ装置とすることもできる。
【００３３】
［医療情報装置の動作］
図９は、医療情報装置１００が表示クライアント装置２１０から医療レポート３１０を表示することを要求された場合に、一以上の実施形態における、医療情報装置１００で実行される送信処理Ｓ３０のフローチャートを示す。医療レポート３１０の表示が要求された場合、プロセッサー１２０はテンプレートＩＤ３１２によって識別されるテンプレート３０５が存在するか判断する（ステップＳ３１）。プロセッサー１２０はテンプレート３０５が存在すると判断した場合（ステップＳ３１：Ｙｅｓ）、プロセッサー１２０は各項目３３０の情報内容３５０とともにテンプレート３０５を送信して、テンプレート３０５を用いて表示装置２１１上に表示し（ステップＳ３８）、送信処理３０を終了する。プロセッサー１２０はテンプレート３０５が存在しないと判断した場合（ステップＳ３１：Ｎｏ）、プロセッサー１２０はさらに参照情報３４０が存在するか判断する（ステップＳ３２）。プロセッサー１２０は参照情報３４０が存在しないと判断した場合（ステップＳ３２：Ｎｏ）、プロセッサー１２０は送信処理Ｓ３０を終了する。プロセッサー１２０は参照情報３４０が存在すると判断した場合（ステップＳ３２：Ｙｅｓ）、プロセッサー１２０は医療レポート３１０の最初の項目３３０の参照情報３４０を読み出し（ステップＳ３３）、情報内容３５０が表示されるか判断する（ステップＳ３４）。プロセッサー１２０は情報内容３５０が表示されないと判断した場合（ステップＳ３４：Ｎｏ）、処理をステップＳ３６へ進める。プロセッサー１２０は情報内容３５０が表示されると判断した場合（ステップＳ３４：Ｙｅｓ）、プロセッサー１２０は各項目３３０の情報内容３５０とともに参照情報３４０を送信し、参照情報３４０を用いて表示装置２１１上に表示する（ステップＳ３５）。ステップＳ３６において、プロセッサー１２０は表示が要求される医療レポート３１０に次の項目３３０が存在するか判断する。プロセッサー１２０は次の項目３３０が存在すると判断した場合、プロセッサー１２０は処理を次の項目３３０と関連するステップＳ３２へ戻す。プロセッサー１２０は次の項目３３０が存在しないと判断した場合、送信処理Ｓ３０は終了する。
【００３４】
よって、医療情報装置１００は、テンプレート３０５が存在する場合、テンプレート３０５を用いて医療レポート３１０を表示クライアント装置２１０に表示させることができ、テンプレート３０５が存在しない場合、参照情報３４０を用いて医療レポート３１０を表示クライアント装置２１０に表示させることができる。よって、テンプレート３０５が存在しない場合も、医療情報装置１００は、表示クライアント装置２１０に医療レポート３１０を表示させることができる。さらに、プロセッサー１２０は医療コード数値３４２に基づいて、送信される情報内容３５０を選択できる。よって、医療情報装置１００は表示クライアント装置２１０の種類又は表示クライアント装置２１０のユーザーの立場（例えば患者、医師、研究者）に応じて情報内容を表示クライアント装置２１０に表示させることができる。
【００３５】
図９に示す送信処理Ｓ３０において、プロセッサー１２０は情報内容３５０を送信するかを判断する。ところが、プロセッサー１２０の代わりに表示クライアント装置２１０が情報内容３５０を表示するかを判断しうる。つまり、表示クライアント装置２１０は情報内容３５０及び参照情報３４０を受信すると、表示クライアント装置２１０は参照情報３４０に基づいて情報内容３５０を表示するかを判断しうる。
【００３６】
図１０はテンプレート３０５が存在しない場合に表示装置２１１上に表示される医療レポート３１０の画面画像４００の一例を示す。図１０に示すように、各項目３３０の情報内容３５０は各項目３３０の参照情報３４０に基づいて示される。情報内容３５０の一つに医療画像３５０Ａがあげられる。その他の情報内容３５０は医療画像３５０Ａに基づいてユーザーによって作成される。表示クライアント装置２１０は情報内容３５０及び参照情報３４０を受信する場合、表示クライアント装置２１０は表示装置２１１の表示サイズ及び参照情報３４０（例えば情報種類３４４、又は医療コードシステムの医療コード数値３４２）に基づいて各項目３３０の情報内容３５０を表示する表示領域の大きさを調整することができる。複数の項目３３０はレポート内容３２０に記憶される順番で表示される。
【００３７】
図１１はいずれのネットワークも用いない医療情報装置１００のその他の構成を示す。図１に示す医療情報システム１において、医療情報装置１００のプロセッサー１２０は参照情報３４０及び情報内容３５０を含む医療レポート３１０を表示クライアント装置２１０へ送信する。しかし、医療情報装置１００のプロセッサー１２０は医療情報装置１００と表示クライアント装置２１０との間でいずれの通信ネットワークを用いずに、直接表示装置２０９へ医療レポート３１０を送信しうる。また、通信ネットワークを介して編集クライアント装置２０２と接続せずに医療情報装置１００自体において医療情報３１０を直接編集しうる。キーボード、マウス、又はタッチパネル等の入力装置２０８は医療情報装置に接続し、医療レポート３１０を編集しうる。図１１に示す構成によっても同様の効果が得られる。
【００３８】
本発明の一以上の実施形態により、コンピューターの機能に以下の技術的改良が実現する。本発明の一以上の実施形態により、医療情報装置は医療レポートが作成された当時に用いられたテンプレートが存在しない場合又は記憶されていない場合でも表示される医療レポートを作成することができ、これによりいずれのコンピューターにおいても医療レポートを閲覧することが可能となる。よって、医療レポートは容易に回覧したり、容易に共有したりすることができ、例えば医療レポートの情報を必要とする医師にとって助けとなる。さらに、それぞれが情報内容と参照情報とを含む組み合わせによって構成される、項目のレポートとしての構成によってコンピューターは項目が表示されるか否か、どのような形式で項目が表示されるか等を判断することができる。よって、このような機能は、例えば、人体の一部としての胸部にはＣＲ画像を用い、人体の一部としての頭部にはＭＲＩ画像を用いる等、情報内容に応じて、又は患者、研究者、医師等、レポートの閲覧要求をしている人物に応じて、情報内容の表示形式が変えられる。
【００３９】
本発明のいくつかの実施形態が、上記において説明されたが、当業者は本発明の範囲から逸脱することなく、本発明のその他の実施形態を考案しうる。よって、本発明の範囲は添付されたクレームのみによって限定される。
【図１】
2020109623.tif 000003
【図２】
2020109623.tif 000004
【図３】
2020109623.tif 000005
【図４】
2020109623.tif 000006
【図５】
2020109623.tif 000007
【図６】
2020109623.tif 000008
【図７】
2020109623.tif 000009
【図８】
2020109623.tif 000010
【図９】
2020109623.tif 000011
【図１０】
2020109623.tif 000012
【図１１】
2020109623.tif 000013
【外国語明細書】
2020109623000001.pdf
2020109623000002.pdf
2020109623000003.pdf
2020109623000004.pdf